(57)【要約】【課題】反転バネの揺動反転におけるバネ力によって、反転バネを固定するハウジング内の部材を変形させてしまうことを防止できるタンブラスイッチを提供することである。【解決手段】本発明のタンブラスイッチは、反転バネの収縮から応力を受ける支持部材を、前片と、前記前片の両側から後方に延出する一対の側片を有するＵ字型の軸支体と、前記軸支体を前記基台に結合するクリップとで構成する。前記軸支体の両側片の下端が前記クリップの底片の上面に支持するよう形成することで反転バネの応力からの変形を防ぐことが可能となる。【選択図】図１
2014170723.tif 000002
【特許請求の範囲】
【請求項１】
外部の電気回路に接続される第１端子と第２端子とを備えるハウジングと、
前記ハウジング内に設けられ、前記第１端子に電気的に結合される固定接点と、
前記ハウジングに対して、オン位置とオフ位置とで揺動自在に支持された可動接点板と、前記可動接点板に結合され、前記可動接点板と供に前記ハウジングに対して揺動自在となるハンドルと、
前記可動接点板に結合され、前記可動接点板がオン位置の際、前記固定接点と接触する可動接点と、
前記可動接点板と前記第２端子とを電気的に接続する支持部材と、
前記可動接点板と前記支持部材との間で張設された反転バネと、
前記支持部材を前記ハウジング内で固定する基台とを備え、
前記可動接点板は、前端と後端とを有する電気伝導性体であり、前端に前記可動接点を備え、後端に前記反転バネを引っ掛ける第１フックを備え、
前記支持部材は、前記反転バネを引っ掛ける第２フックを有し、
前記支持部材は、前記可動接点板の中間部を枢支する軸受を有し、前記軸受で規定する支点の周りで前記可動接点板を、前記可動接点が前記固定接点と接触するオン位置と、前記可動接点が前記固定接点から離れるオフ位置との間で揺動自在に支持し、
前記反転バネは、前記第１フックと第２フックとの間に張設されて前記可動接点板をオン位置とオフ位置の間で反転させるバネ力を与えるように構成され、
前記支持部材は、
前片と、前記前片の両側から後方に延出する一対の側片を有するＵ字型の軸支体と、
前記軸支体を前記基台に結合するクリップとで構成され、
前記前片の上端に前記第２フックが形成され、
前記側片の上端に前記軸受が形成され、
前記クリップは、軸支体の前片の下端から後方に延出する底片と、
底片の一側より下方に演出する脚片と、
前記脚片の下端から前記底片と対向する形で延出する差込片とで構成され、
前記差込片と前記底片との間に前記基台と前記第２端子の一部が挿入されて、前記基台に前記支持部材が固定され、
前記軸支体の両側片の下端が前記クリップの底片の上面に支持されたことを特徴とするタンブラスイッチ。
【請求項２】
前記可動接点板は、中央部に前後方向に長い長孔を備え、
前記長孔は、前方に位置する幅広部と、後方に位置する幅狭部とが段差部を介し連続しており、この段差部の先端のエッジが前記可動接点板を揺動自在に支持する揺動支点を規定し、
段差部は先端に向けて肉厚が薄くなったことを特徴とする請求項１に記載のタンブラスイッチ。
【請求項３】
前記第２端子は、上壁、底壁、一対の側壁を有する端子筒を備え、
前記ハウジングに設けた端子孔内に前記端子筒が挿入され、
前記基台に形成した凹所に前記の支持部材が収められ、
前記凹所の底壁の下面に前記端子筒の上壁が当接され、
前記クリップの底片と差込片との間に、凹所の底壁と端子筒の上壁とが挟み込まれたことを特徴とする請求項１乃至２に記載のタンブラスイッチ。
【発明の詳細な説明】
【技術分野】
【０００１】
本発明は、ハンドルを相反する２方向に操作することによって、接点部の開閉を行うタンブラスイッチに関するものである。
【背景技術】
【０００２】
特許文献１は、スイッチのオンオフ動作を切り替えるハンドルと、オン動作オフ動作の間で揺動する可動枠と、ハンドルと可動枠との間で反転バネを備えるタンブラスイッチを開示している。ハンドルの揺動反転により反転バネと可動枠を反転させることで、接点の開状態と閉状態との切り替えを行い、ハンドル位置を安定させる構成となっている。このタンブラスイッチの反転バネは、一端をハンドルの内部に備わる挿入穴に挿入して固定し、他端をコの字形の可動枠内に固定する構成となっている。この可動枠はハウジングに設けられており、ハンドルの反転が長期に亘って繰り返されることに伴って、反転バネの収縮から受ける応力によって、変形してハウジング内で変位してしまい、接点開閉の精度が低下するという問題がある。
【先行技術文献】
【特許文献】
【０００３】
【特許文献１】特開昭５２−００９８７８号公報
【発明の概要】
【発明が解決しようとする課題】
【０００４】
本発明のタンブラスイッチは、反転バネの揺動反転におけるバネ力によって、反転バネを固定するハウジング内の部材を変形させてしまうといった問題点を解消するためになされたものであり、バネ力による部材の変形を回避することを技術的課題とする。
【課題を解決するための手段】
【０００５】
外部の電気回路に接続される第１端子と第２端子とを備えるハウジングと、前記ハウジング内に設けられ、前記第１端子に電気的に結合される固定接点と、前記ハウジングに対して、オン位置とオフ位置とで揺動自在に支持された可動接点板とを有する。更に、前記可動接点板に結合され、前記可動接点板と供に前記ハウジングに対して揺動自在となるハンドルと、前記可動接点板に結合され、前記可動接点板がオン位置の際、前記固定接点と接触する可動接点とを備える。また、前記可動接点板と前記第２端子とを電気的に接続する支持部材と、前記可動接点板と前記支持部材との間で張設された反転バネと、前記支持部材を前記ハウジング内で固定する基台とを備える。前記可動接点板は、前端と後端とを有する電気伝導性体であり、前端に前記可動接点を備え、後端に前記反転バネを引っ掛ける第１フックを備える。前記支持部材は、前記反転バネを引っ掛ける第２フックを有する。前記支持部材は、前記可動接点板の中間部を枢支する軸受を有し、前記軸受で規定する支点の周りで前記可動接点板を、前記可動接点が前記固定接点と接触するオン位置と、前記可動接点が前記固定接点から離れるオフ位置との間で揺動自在に支持する。前記反転バネは、前記第１フックと第２フックとの間に張設されて前記可動接点板をオン位置とオフ位置の間で反転させるバネ力を与えるように構成される。前記支持部材は、前片と、前記前片の両側から後方に延出する一対の側片を有するＵ字型の軸支体と、前記軸支体を前記基台に結合するクリップとで構成され、前記前片の上端に前記第２フックが形成され、前記側片の上端に前記軸受が形成される。前記クリップは、軸支体の前片の下端から後方に延出する底片と、底片の一側より下方に演出する脚片と、前記脚片の下端から前記底片と対向する形で延出する差込片とで構成される。前記差込片と前記底片との間に前記基台と前記第２端子の一部が挿入されて、前記基台に前記支持部材が固定され、前記軸支体の両
側片の下端が前記クリップの底片の上面に支持されたことを特徴とする。
【０００６】
前記第２端子は、上壁、底壁、一対の側壁を有する端子筒を備える。前記ハウジングに設けた端子孔内に前記端子筒が挿入される。そして、前記基台に形成した収納凹所に前記の支持部材が収められ、前記収納凹所の底壁の下面に前記端子筒の上壁が当接され、前記クリップの底片と差込片との間に、収納凹所の底壁と端子筒の上壁とが挟み込まれたことを特徴とする。
【発明の効果】
【０００７】
ハウジング内の部材が、反転バネの収縮から受ける応力によって変形してハウジング内で変位してしまうことをふせぐ。
【図面の簡単な説明】
【０００８】
【図１】本発明の一実施形態に係るタンブラスイッチの全体図。
【図２】同上のタンブラスイッチを前方から見た斜視図。
【図３】（ａ）同上のタンブラスイッチの支持部材、可動接点板、反転バネを示す斜視図。（ｂ）同上の支持部材、可動接点板、反転バネにおける組み立て図。
【図４】同上のタンブラスイッチにおける左右方向における断面図。
【図５】（ａ）同上のタンブラスイッチのオン状態を示す前後方向における断面図。（ｂ）同上のタンブラスイッチのオフ状態を示す前後方向における断面図。
【図６】（ａ）同上のタンブラスイッチの支持部材を前方からみた斜視図。（ｂ）同上の支持部材を右側から見た斜視図。
【図７】同上のタンブラスイッチの可動接点板を上方から見た全体図及びＡ―Ａ間における断面図。
【発明を実施するための形態】
【０００９】
本発明に係るタンブラスイッチ１００の実施形態を図１〜図６に基づいて説明する。以下の説明では、図１で示されるスイッチの左端を前端として、スイッチを構成する部品の形状を表現する。
【００１０】
タンブラスイッチ１００は、壁面等に施工されるハウジング２０と、ハウジング２０に対してオン位置とオフ位置との間で揺動自在となるハンドル１０とを備える。図２に示すように、ハウジング２０の内部には、外部の電気回路に接続される第１端子３０および第２端子３５と、第１端子に接続される固定接点３１とを備える。ハンドル１０の内部には、ハウジング２０に対して、オン位置とオフ位置との間で揺動自在に支持された可動接点板７０が設けられ、可動接点板７０がオン位置の際、固定接点３１と接触する可動接点７１が可動接点板７０の前端に形成されている。更に、ハウジング２０には、可動接点板７０を揺動自在に支持する支持部材５０が備えられる。この支持部材５０は、可動接点板７０と第２端子３５とを電気的に接続しており、ハウジング２０に固定される基台４０に保持される。支持部材５０と可動接点板７０とは反転バネ８０で結合され、反転バネ８０のバネ力によって可動接点板７０がオン位置とオフ位置とで安定する。オン位置では、図５（ａ）に示すように、可動接点７１が固定接点３１に接触して、第１端子３０と第２端子３５とが可動接点板７０を介して電気的に接続され、オフ位置では、図５（ｂ）に示すように、可動接点７１が固定接点３１から離れて第１端子３０と第２端子３５との間の電気接続が遮断される。
【００１１】
ハウジング２０は合成樹脂成形品からなり、上面が開口した収納室２１内に支持部材５０やハンドル１０が収納される。図５に示すように、収納室２１は、ハウジング２０下面に開口する端子孔２２、２３と連通し、各端子孔に第１端子３０、第２端子３５が収めら
れる。各端子孔２２、２３は、図２に示すように、ハウジング２０の側方に開口した電線孔２４に連通し、外部電線が電線孔２４を通して挿入される。
【００１２】
第１端子３０と第２端子３５は、図２に示すように、角筒状に形成したものであり、両端の開口がハウジング２０の左右両端に備わる電線孔２４に対向するように端子孔２２、２３に収納される。第１端子３０は、上面に固定接点３１を備える。また、図５に示すように、第１端子３０と第２端子３５は、下方に端子ネジ３２をネジ込むネジ孔３３を備え、ハウジング２０の側面に備わる電線孔２４から端子内に挿入された外部電線を端子ネジ３２で第１端子３０及び第２端子３５に電気接続させる構成となっている。
【００１３】
図５に示すように、ハンドル１０は下方が開口した箱形に合成樹脂で形成され、ハンドル１０の裏面に形成された凹部１１に可動接点板７０と反転バネ８０が収められる。可動接点板７０は、前端と後端とを有する長尺の電気導体であり、図５に示すように、前端の穴７２には可動接点が固定され、後端の穴７３を通してハンドルのネジ孔１２に締め付けられるネジ１３よってハンドル１０に固定される。
【００１４】
図３に示すように、可動接点板７０の中央には前後方向に長くなった長孔７４が形成される。この長孔７４は、前方に位置する幅広部７７と後方に位置する幅狭部７８が段差部７６を介して連続した形状となっている。段差部７６の先端であるエッジが、支持部材５０の軸受５６との間で、可動接点板７０を揺動自在に支持する揺動支点を規定している。図７に示すように、段差部７６は薄肉の先端面に向けて次第に肉厚が薄くなるテーパー形状をなし、先端面の上下両端のエッジのいずれか一方が軸受５６の湾曲面に沿って摺動しながら、可動接点板が軸受５６へ揺動自在に支持される。このように、段差部７６の先端部をテーパー形状とすることにより、可動接点板と支持部材との接点位置の摩擦を減らすことが可能で、摩擦の減少により、操作ハンドルが中間停止する不具合を減少させ、部材自体の長寿命化も図ることができる。また、可動接点板７０には、幅狭部７８の後端縁から上方に突出する第１フック７５が形成され、反転バネ８０の後端がこの第１フック７５に引っ掛けられる。
【００１５】
支持部材５０は、図３（ａ）に示すように、可動接点板７０を支持するための軸支体Ａと、この軸支体を基台４０に結合するためのクリップＢとで構成される。軸支体ＡはＵ字形を有し、前片５１と前片５１の両側から後方に延出する一対の側片５２とを備える。前片５１の上端には反転バネ８０の前端を引っ掛ける第２フック５５が形成され、前片５１の前面には基台４０の前壁に当接して支持部材５０を基台４０へ正確に位置決めするための凸部５３が形成されている。側片５２の上端には、可動接点板７０の段差部７６、すなわち、支点となるエッジを受けるためのＶ字溝が形成される。このＶ字溝が可動接点板７０の支点を受ける軸受５６を規定し、可動接点板７０を支点の周りで、可動接点７１が固定接点３１と接触するオン位置と、可動接点７１が固定接点３１から離れるオフ位置との間で揺動自在に支持する。
【００１６】
クリップＢは、軸支体Ａの前片５１の下端から後方に延出する底片５７と、底片５７の一側より下方に延出する脚片５８と、脚片５８の下端から底片５７と対向する形で延出する差込片５９とで構成される。差込片５９は基台４０の上面に形成した凹所４１の底壁の下面側に差し込まれて、底片５７と差込片５９との間で、凹所４１の底壁と第２端子３５の一部を挟み込むことで、支持部材５０が基台４０に固定される。差込片５９が第２端子３５に結合されることで、第２端子３５が支持部材５０を介して可動接点板７０の可動接点７１に電気的に接続される。図５で示すように、支持部材５０を構成する軸支体Ａの一対の側片５２は、凹所４１の底壁上面に載置される底片５７に密接或いは極小の隙間を介して近接対向しており、反転バネ８０から引っ張り応力を受ける前片５１が後方へ倒され、これに伴って一対の側片５２の上端の軸支部が後方へ変位するのを防止し、可動接点板
７０の支点を一定の位置に保ち、安定した接点開閉動作が維持できる。
【００１７】
基台４０は、前後両端の左右に形成された係止爪４２を、図４に示すように、ハウジングの収納室２１の周壁に形成した孔２２へ係止することで、ハウジング２０に固定される。この基台４０は、図２に示すように、凹所４１の前後の上面が傾斜面とされて、オン位置とオフ位置との間で揺動する可動接点板７０との当たりを避けながら、基台４０をハンドル側に近づけることで、スイッチの薄型化が図られている。基台４０の前後両端には、それぞれ溝４３が形成され、可動接点板７０をハンドル１０に固定するネジ１２の頭との当たりが避けられるようになっている。
【００１８】
反転バネ８０は、図３（ｂ）のように、前後の両端をそれぞれ可動接点板７０の第１フック７５と支持部材５０の第２フック５５とに引っ掛け、可動接点板７０をオン位置とオフ位置とでそれぞれ安定させるようなバネ力を可動接点板７０と支持部材５０との間に作用させる。この結果、ハンドル１０はバネ力に抗してオン位置とオフ位置との間で揺動することになり、オン位置とオフ位置とを切り替える際に、ハンドル１０が中立点を超えた時にバネ力による反転力が作用して、図５（ａ）（ｂ）に示すように、ハンドル１０及びこれに固定されている可動接点板７０をオン位置とオフ位置とに安定させる。
【００１９】
ハンドル１０がオン位置とオフ位置との間で変位する際、反転バネ８０の伸張と収縮による応力が第１フック７５だけでなく第２フック５５に作用する。特に、第２フック５５は、支持部材５０の前片５１の上端に形成されているため、前片５１が後方へ向けて変形するような力が反転バネ８０から与えられる。しかしながら、前片５１の左右両端から後方に延出する側片５２が、前片５１の下端から後方に延出する底片５７にて支持されるため、前片５１の変形を伴う軸支体Ａの変形を抑制し、軸支体によって規定される支点を常に定位置に維持することができる。すなわち、支持部材５０を基台４０を介してハウジング２０に固定するためのクリップＢを構成する底片５７を利用して、反転バネ８０から受ける応力によって軸支体Ａが変形するのを防止して、常に安定したスイッチの開閉動作が得られる。
【００２０】
図５に示すように、支持部材５０のクリップＢは、支持部材５０を基台４０へ固定すると共に、第２端子３５を基台４０へ固定し、第２端子３５を支持部材５０を介して可動接点板７０へ電気的に接続している。角筒状の第２端子３５の上壁は、基台４０の下面、すなわち、凹所４１の底壁の下面に当接され、クリップＢの差込片５９と底片５７との間に、底壁と上壁とが挟み込まれて、第２端子３５が基台４０に固定される。このため、基台４０は第２端子３５と結合した状態で、ハウジング２０へ組み付けられる。一方、第１端子３０は、上壁の下面に位置する固定板３３を介して固定接点３１に結合されており、端子ネジ３２と結合した状態でハウジング２０へ組み込まれる。第１端子３０と第２端子３５はいずれも、端子ネジ３２と共に端子孔２２、２３に収められ、各端子孔の下端に形成したストッパ２５によって、端子ネジ３２がハウジング２０外に脱落することがない。
【産業上の利用可能性】
【００２１】
ハウジング内の部材が、反転バネの収縮から受ける応力によって変形してハウジング内で変位してしまうことを防止できる。
【符号の説明】
【００２２】
１０  ハンドル
２０  ハウジング
３０  第１端子
３１  固定接点
３５  第２端子
４０  基台
４１  凹所
５０  支持部材
５１  前片
５２  側片
５５  第２フック
５６  軸受
５７  底片
５８  脚片
５９  差込片
７０  可動接点板
７１  可動接点
７４  長孔
７５  第１フック
７６  段差部
７７  幅広部
７８  幅狭部
８０  反転バネ
１００  タンブラスイッチ
Ａ  軸支体
Ｂ  クリップ
【図１】
2014170723.tif 000003
【図２】
2014170723.tif 000004
【図３】
2014170723.tif 000005
【図４】
2014170723.tif 000006
【図５】
2014170723.tif 000007
【図６】
2014170723.tif 000008
【図７】
2014170723.tif 000009